(57)【要約】【課題】  管理室親機から個々の居室親機に対して個別にメッセージを送信でき、居室親機においていつでもメッセージを確認できる。【解決手段】  管理室親機３に、メッセージを送信するためのメッセージ送信ボタン２９ａ、メッセージを一斉送信する一斉送信ボタン２９ｂをタッチパネル２９上に設け、居室親機にメッセージを録音する録音メモリを設けた。タッチパネル２９の操作により居室親機が特定されたら、特定された居室親機に通知信号が制御機を介して送信され、特定された居室親機は、通知信号を受けて住戸アダプタを制御して管理室親機との間で通話路を形成し、管理室親機から送信されたメッセージを録音メモリに記憶させる。【選択図】  図３
2007053633.tif 000002
【特許請求の範囲】
【請求項１】
集合玄関に設置されて居住者を呼び出すための集合玄関機と、来訪者と通話するための居室親機と、管理室に設置される管理室親機と、これらの機器を制御する制御機とを有する集合住宅インターホンシステムにおいて、
前記管理室親機は、前記居室親機にメッセージを送信するためのメッセージ送信手段を有すると共に、前記居室親機はメッセージを録音する録音手段を有し、
前記メッセージ送信手段により居室親機が少なくとも１つ特定されたら、特定された居室親機に通知信号が前記制御機を介して送信され、
前記特定された居室親機は、前記通知信号を受けて前記管理室親機との間で通話路を形成すると共に、前記管理室親機から送信されたメッセージを前記録音手段に記憶させ、更に管理室親機からメッセージ送信の終了信号を受信したら前記通話路を遮断することを特徴とする集合住宅インターホンシステム。
【請求項２】
前記管理室親機は各居室親機に対してメッセージを一斉送信する為の一斉送信手段を有し、前記一斉送信手段の操作により、全ての居室親機が対象であることを識別できる通知信号が前記制御機を介して全ての居室親機に送信され、全ての居室親機は前記通知信号を受けて前記管理室親機との間で通話路をそれぞれ形成すると共に、前記管理室親機から送信されたメッセージを前記録音手段に記憶させ、更に管理室親機からメッセージ送信の終了信号を受信したら前記通話路を遮断することを特徴とする請求項１記載の集合住宅インターホンシステム。
【請求項３】
前記管理室親機に撮像カメラを備えると共に前記居室親機に映像を出画するモニタ及び録画手段を備え、前記管理室親機と居室親機の間でメッセージ送信のための通話路が形成されたら、映像情報或いは画像情報を送信する映像路も合わせて形成され、
管理室親機からメッセージの送信に合わせて前記撮像カメラの静止画または動画を送信でき、前記居室親機は送信された静止画又は動画を前記録画手段に記憶することを特徴とする請求項１又は２記載の集合住宅インターホンシステム。
【請求項４】
前記管理室親機は、メッセージ送信の為の通話路が形成できない場合、通話路が使用中でありメッセージ送信ができない旨を知らせる報知動作を実施することを特徴とする請求項１乃至３の何れかに記載の集合住宅インターホンシステム。
【請求項５】
前記管理室親機からメッセージを送信している状態において、前記集合玄関機から呼び出しが成されたら、前記集合玄関機は、呼び出しができない旨を知らせる報知動作を実施することを特徴とする請求項１乃至４の何れかに記載の集合住宅インターホンシステム。
【請求項６】
前記管理室親機によりメッセージ送信操作が成された前記居室親機が前記集合玄関機と通話中である場合は、前記居室親機は前記集合玄関機との通話を切断すると共に前記管理室親機と通話路を形成し、メッセージを受信することが可能となることを特徴とする請求項１乃至３の何れかに記載の集合住宅インターホンシステム。
【発明の詳細な説明】
【技術分野】
【０００１】
本発明は、集合住宅インターホンシステムに関し、特に管理人からの居住者にメッセージを送信可能とした集合住宅インターホンシステムに関する。
【背景技術】
【０００２】
集合住宅の管理室から個々の住戸に対してメッセージを送信可能とした集合住宅インターホンシステムに特許文献１に記載された構成のものがある。これは、管理室親機から各居室親機に対して一斉放送を可能としており、管理室親機からのメッセージを制御装置に接続した記録装置に記憶させ、個々の居室親機から記憶されたメッセージを読み出すことで、個々に居住者にメッセージが伝わるように構成されている。
【特許文献１】特開２００４−２６６５４８号公報
【発明の開示】
【発明が解決しようとする課題】
【０００３】
しかしながら、上記特許文献１に示す従来の集合住宅インターホンシステムにおいては、全ての住戸に対するメッセージの一斉送信は容易に実施できるが、管理室親機から個別の居住者に対してメッセージを送信することはできないし、特定の複数の居住者に対してメッセージを送信することもできなかった。
そのため、個別の居住者にメッセージを伝えたい場合は、例えば居室親機に設けられた通知ＬＥＤを点灯させて、管理人から連絡があったことを知らせ、それを確認した居住者が個々に管理人に問い合わせをするといった面倒な操作が必要であった。
【０００４】
そこで本発明は、上述の難点を解消するためになされたもので、管理人からの個々の居室親機に対して個別にメッセージを送信でき、居室親機において何時でもメッセージを確認可能とした集合住宅インターホンシステムを提供することを目的としている。
【課題を解決するための手段】
【０００５】
上記課題を解決するため、請求項１に記載の発明は、集合玄関に設置されて居住者を呼び出すための集合玄関機と、来訪者と通話するための居室親機と、管理室に設置される管理室親機と、これらの機器を制御する制御機とを有する集合住宅インターホンシステムにおいて、管理室親機は、居室親機にメッセージを送信するためのメッセージ送信手段を有すると共に、居室親機はメッセージを録音する録音手段を有し、メッセージ送信手段により居室親機が少なくとも１つ特定されたら、特定された居室親機に通知信号が制御機を介して送信され、特定された居室親機は、通知信号を受けて管理室親機との間で通話路を形成すると共に、管理室親機から送信されたメッセージを録音手段に記憶させ、更に管理室親機からメッセージ送信の終了信号を受信したら通話路を遮断することを特徴とする。
この構成により、選択した特定の１台或いは複数台の居室親機に対して管理室親機からのメッセージが送信されて音声として記憶されるので、居住者が不在であっても管理者のメッセージは確実に居室親機に送信できるし、居住者はいつでも確認することができる。
【０００６】
請求項２の発明は、請求項１に記載の発明において、管理室親機は各居室親機に対してメッセージを一斉送信する為の一斉送信手段を有し、一斉送信手段の操作により、全ての居室親機が対象であることを識別できる通知信号が制御機を介して全ての居室親機に送信され、全ての居室親機は通知信号を受けて管理室親機との間で通話路をそれぞれ形成すると共に、管理室親機から送信されたメッセージを録音手段に記憶させ、更に管理室親機からメッセージ送信の終了信号を受信したら通話路を遮断することを特徴とする。
この構成により、一斉送信手段によりメッセージを全ての居室親機に一斉送信できるので、１回の送信操作で済み送信の手間を簡略化できる。
【０００７】
請求項３の発明は、請求項１又は２に記載の発明において、管理室親機に撮像カメラを備えると共に居室親機に映像を出画するモニタ及び録画手段を備え、管理室親機と居室親機の間でメッセージ送信のための通話路が形成されたら、映像情報或いは画像情報を送信する映像路も合わせて形成され、管理室親機からメッセージの送信に合わせて撮像カメラの静止画または動画を送信でき、居室親機は送信された静止画又は動画を録画手段に記憶することを特徴とする。
この構成により、居住者は音声だけでなく映像或いは画像によりメッセージ内容を認識することができる。
【０００８】
請求項４の発明は、請求項１乃至３の何れかに記載の発明において、管理室親機は、メッセージ送信の為の通話路が形成できない場合、通話路が使用中でありメッセージ送信ができない旨を知らせる報知動作を実施することを特徴とする。
この構成により、通話路が使用中でメッセージを送信できない場合、それを管理者に報知するので管理人は対応しやすい。
【０００９】
請求項５の発明は、請求項１乃至４の何れかに記載の発明において、管理室親機からメッセージを送信している状態において、集合玄関機から呼び出しが成されたら、集合玄関機は、呼び出しができない旨を知らせる報知動作を実施することを特徴とする。
この構成により、通話路が使用中であれば、呼出操作ができないことを来訪者が認識できるので、来訪者が呼び出しできずに戸惑うようなことがない。
【００１０】
請求項６の発明は、請求項１乃至３の何れかに記載の発明において、管理室親機によりメッセージ送信操作が成された居室親機が集合玄関機と通話中である場合は、居室親機は集合玄関機との通話を切断するとともに管理室親機と通話路を形成し、メッセージを受信することが可能となることを特徴とする。
この構成により、緊急性の高いメッセージを速やかに居住者に伝えることができる。
【発明の効果】
【００１１】
本発明によれば、選択した特定の１台或いは複数台の居室親機に対して管理室親機からのメッセージが送信されて音声として記憶されるので、居住者が不在であっても管理者のメッセージは確実に居室親機に送信できるし、居住者は何時でも確認することができる。
【発明を実施するための最良の形態】
【００１２】
以下、本発明を具体化した実施の形態を、図面に基づいて詳細に説明する。図１は本発明に係る集合住宅インターホンシステムの一例を示す構成図であり、１は集合玄関に設置されて居住者を呼び出すための集合玄関機、２は来訪者と通話するための居室親機、３は管理室に設置される管理室親機、４は管理室に設置されて映像を出力する撮像カメラ、５は居室親機毎に設置される住戸アダプタ、６はこれらの機器を制御する制御機である。そして、２台の集合玄関機１、管理室親機３、撮像カメラ４は夫々信号線７により制御機６に接続され、各住戸アダプタ５と制御機６は親機幹線８で接続され、居室親機２と住戸アダプタ５は信号線９で接続されている。尚、図示しないが、各居室親機２には、居室前に来た来訪者が居住者を呼び出すための玄関子機が個々に接続されている。
【００１３】
居室親機２は、図２に示すように構成され、伝送されてきた映像信号を復調する復調回路１１、映像を出画するモニタ１２、通話回路１３、通話回路１３に接続されたスピーカ１４及びマイク１５、メッセージを録音する録音手段としての録音メモリ１６、映像を録画する録画手段としての録画メモリ１７、操作手段としてのタッチパネル１８、メッセージがあることを通知するためのＬＥＤ１９、親機インターフェイス（親機ＩＦ）２０、居室親機２を制御する親機ＣＰＵ２１を備えている。
【００１４】
一方、管理室親機３は図３に示すように構成され、伝送されてきた映像信号を復調する復調回路２４、映像を出画するモニタ２５、通話回路２６、通話回路２６に接続されたスピーカ２７及びマイク２８、操作手段としてのタッチパネル２９、管親インターフェイス（管親ＩＦ）３０、管理室親機３を制御する管親ＣＰＵ３１を備えている。
【００１５】
また、親機幹線８は、データ信号線８ａと通信・映像線８ｂ，８ｃ（第１チャンネル８ｂ、第２チャンネル８ｃ）とを有し、居室親機２と住戸アダプタ５の間の信号線９は、データ信号線９ａ、通信・映像線９ｂ、居室親機２から制御信号を受けるための制御信号線９ｃを有している。
そのため、住戸アダプタ５は図４に示すように構成され、親機幹線８を接続する幹線接続部、居室親機２の信号線９を接続する親機接続部を有し、集合玄関機１或いは管理室親機３と通話・映像路を形成するために通話・映像線を切り換えるための第１スイッチＳＷ１、第２スイッチＳＷ２を備えている。
【００１６】
このように構成された集合住宅インターホンシステムは次のように動作する。尚、基本動作である集合玄関機１による呼び出し、その後の集合玄関機１と居室親機２の間の通話、更にはオートドアの解錠等の動作については従来と同様であるので説明を省略し、管理室親機３からメッセージを送信する動作について説明する。
【００１７】
管理人が居住者に対してメッセージを送信したい場合には、タッチパネル２９を操作する。具体的には、タッチパネル２９によりメッセージ送信先の居室親機番号を入力し、タッチパネルに表示されるメッセージ送信ボタン２９ａを押す。すると、管理室親機３は、制御機６に設けられている居室ＩＤテーブル２２（図１に示す）を参照して居室ＩＤを読み出し、メッセージを送信するための通知信号に付加して居室親機２に対して送信する。この通知信号は、制御機６にて受信されて通信・映像線８ｂ，８ｃの空き状況を確認し、通信・映像路を形成するための制御信号を居室親機２に送信する。こうして、管理室親機３と居室親機２間の通話・映像路が形成される。
具体的には、通知信号は制御機６から住戸アダプタ５を介して居室親機２にて受信され、住戸アダプタ５では、制御信号により例えば第１切替スイッチＳＷ１を切り替えて第１チャンネル８ｂを接続して管理室親機３と居室親機２の間の通話、映像路を形成する。
【００１８】
この状態において、管理人がハンドセット等の送話手段（マイク２８）、撮像カメラ４によりメッセージ及び映像を送信する。このメッセージは接続されている第１チャンネル８ｂを経由して居室親機２にて受信され、親機ＣＰＵ２１の制御により録音メモリ１６、録画メモリ１７にて記録される。また、録音メモリ１６、録画メモリ１７にて記録されたことを居住者に知らせるためにＬＥＤ１９を点灯させる。
メッセージ送信を終了すると、第１切替スイッチＳＷ１はオフに切り替わり通話、映像路が遮断される。この動作の後、居住者がＬＥＤ１９を確認してタッチパネル１８を操作すると、録音メモリ１６、録画メモリ１７にて記録されたメッセージ及び映像が再生され、内容を確認することができる。確認終了後はＬＥＤ１９が消灯する。
【００１９】
複数の居室親機２に対して同一のメッセージを送信する場合は、メッセージ送信先の個々の居室親機番号をタッチパネル２９を操作して入力すれば良い。後は上記操作と同様であり、タッチパネル２９に表示されるメッセージ送信ボタン２９ａを押すことで、管理室親機３は、制御機６に設けられている居室ＩＤテーブル２２を参照して居室ＩＤを読み出し、メッセージを送信するための通知信号に付加して居室親機２に対して送信する。この通知信号は、制御機６にて受信されて通信・映像線８ｂ，８ｃの空き状況を確認し、通信・映像路を形成するための制御信号を居室親機２に送信する。こうして、管理室親機３と居室親機２間の通話・映像路が形成される。
【００２０】
全居室を対象とする一斉送信の場合は次のように操作される。タッチパネル２９には一斉送信ボタン２９ｂが表示されており、このボタンを操作することで一斉送信が成される。一斉送信ボタン２９ｂを押すことで、管理室親機３は、制御機６に設けられている居室ＩＤテーブル２２（図１に示す）を参照して居室ＩＤを読み出し、メッセージを送信するための通知信号に付加して各居室親機２に対して送信する。この通知信号は、制御機６にて受信されて通信・映像線８ｂ，８ｃの空き状況を確認し、通信・映像路を形成するための制御信号を各居室親機２に送信する。こうして、管理室親機３と各居室親機２間の通話・映像路が形成される。
【００２１】
この状態において、管理人がハンドセット等の送話手段（マイク２８）、撮像カメラ４によりメッセージ及び映像を送信する。このメッセージは接続されている第１チャンネル８ｂを経由して居室親機２にて受信され、親機ＣＰＵ２１の制御により録音メモリ１６、録画メモリ１７にて記録される。また、録音メモリ１６、録画メモリ１７にて記録されたことを居住者に知らせるためにＬＥＤ１９を点灯させる。
メッセージ送信を終了すると、第１切替スイッチＳＷ１はオフに切り替わり通話、映像路が遮断される。この動作の後、個々の居住者がＬＥＤ１９を確認してタッチパネル１８を操作すると、録音メモリ１６、録画メモリ１７から音声及び映像が再生されて記録されたメッセージを確認することができる。確認終了後はＬＥＤ１９が消灯する。
こうして、全居室に対して有効なＩＤを付加して送信され、メッセージは確実に送信される。
【００２２】
ここで、メッセージ送信操作をしたとき第１チャンネル８ｂ及び第２チャンネル８ｃが使用中である場合には、以下の動作をする。通信・映像線に空きがない場合、通知信号を受信した制御機６がメッセージ送信不可と判断し、管理室親機３に対してメッセージ送信不可信号を送信する。管理室親機３では、これを受信して話中音やスピーカ２７によりメッセージを送信できない旨を通知する。これにより、管理者はメッセージの送信ができない状況を把握でき、後程あらためてメッセ−ジを送信することになる。
【００２３】
逆にメッセージ送信中に集合玄関機１からの呼び出しがあった場合には、呼出信号を受信した制御機６が呼出信号送信不可と判断し、集合玄関機１に対して呼出不可信号を送信する。この信号を受信した集合玄関機１は、話中音やモニタ出力により呼び出しできない旨を来訪者に通知する。こうすることで、集合玄関機で呼出操作した際に通話路がメッセージの送信で使用中であれば、呼出操作ができないことを来訪者が認識でき、来訪者が戸惑うようなことがない。この場合、来訪者は後程あらためて呼出操作をすることになる。
【００２４】
また、他の実施例として、メッセージ送信操作した居室親機２が集合玄関機１と通話中である場合は、居室親機２と集合玄関機１の間で接続された通信・映像路を遮断して管理室親機３と居室親機２の間で通信・映像路を形成するよう動作させ、集合玄関機１に対しては通話不可信号を送信するようにしても良い。こうすれば、管理室親機からメッセージの送信が可能となり、速やかにメッセージの送信ができ、緊急性の高いメッセージを速やかに居住者に伝えることができる。
【００２５】
このように、管理室親機からのメッセージが選択した特定の居室親機に音声として記憶されるので、居住者が不在であっても管理者のメッセージは確実に居室親機に送信できるし、居住者はいつでも確認することができる。また、任意の複数の居室親機にメッセージを一度に送信でき、送信の手間を簡略化できる。更に、全居室親機に対してメッセージ一斉送信も容易に実施でき、送信の手間を簡略化できる。
また、メッセージに映像を合わせて送信できるので、居住者は音声だけでなく映像によりメッセージ内容を認識することができ、精度の高い情報を容易に送信できる。
更に、通話路（通信・映像線）が使用中でメッセージを送信できない場合、それを管理者に報知するので管理人は対応しやすい。
【００２６】
尚、上記実施形態では管理室親機３からのメッセージ送信操作を行う操作手段をタッチパネル２９としたが、テンキーを操作してメッセージ送信先を特定しても良い。また、タッチパネル２９上にメッセージ送信ボタン２９ａや一斉送信ボタン２９ｂを設けているが、テンキーを操作してメッセージ送信を行っても良いし、メッセージ送信ボタンや一斉送信ボタンを機械式の押しボタンで形成しても良い。
また、管理室に設置された撮像カメラ４により撮像した映像を送信しているが、勿論映像ではなく静止画像であっても良いし、録画および録音をおこなったが、音声のみ送信して録音するだけでも良い。
【図面の簡単な説明】
【００２７】
【図１】本発明に係る集合住宅インターホンシステムの実施形態の一例を示す構成図である。
【図２】図１の居室親機の回路ブロック図である。
【図３】管理室親機の回路ブロック図である。
【図４】住戸アダプタの構成図である。
【符号の説明】
【００２８】
１・・集合玄関機、２・・居室親機、３・・管理室親機、４・・撮像カメラ、６・・制御機、１６・・録音メモリ（録音手段）、１７・・録画メモリ（録画手段）、２５・・モニタ、２９・・タッチパネル（操作手段）、２９ａ・・メッセージ送信ボタン（メッセージ送信手段）、２９ｂ・・一斉送信ボタン（一斉送信手段）。
【図１】
2007053633.tif 000003
【図２】
2007053633.tif 000004
【図３】
2007053633.tif 000005
【図４】
2007053633.tif 000006